(57)【要約】 【課題】  イヤホンの購入後、購入者が、自分の耳の大きさに合った状態でイヤホンの使用を行うことが出来るようにする。【解決手段】  スピーカを内蔵して人の耳殻内に挿入されるイヤホンのスピーカケース１１の外周面の径が、人の耳の耳殻内の標準的な大きさよりも小さい所要の径になるように設定されて成形されており、さらに、このような径を有するスピーカケース１１の外周面の形状と相似形に成形された内周面１４Ｂおよび外周面１４Ａを有し、この外周面１４Ａの径が、人の耳の耳殻内の標準的な大きさになるように設定されて成形されているサイズ変換リング１４を備えており、このサイズ変換リング１４がスピーカケース１１に外嵌されることによってスピーカケース１１と一体化される。【選択図】    図２
2005252475.tif 000002
【特許請求の範囲】
【請求項１】
外周面の径が所要の径に設定されているとともにスピーカを内蔵して人の耳殻内に挿入されるスピーカケース部材と、このスピーカケース部材の外周面の形状と略相似形でスピーカケース部材の外周面の径よりも所要の値だけ大きい径を有する外周面を有しスピーカケース部材の外周面に着脱可能に外嵌されてスピーカケース部材と一体化されるサイズ変換リング部材とを備えていることを特徴とするイヤホンユニット。
【請求項２】
前記スピーカケース部材およびサイズ変換リング部材のそれぞれの少なくとも外周部分が、スポンジよりも硬質の弾性材料によって形成されている請求項１に記載のイヤホンユニット。
【請求項３】
前記硬質の弾性材料が、硬質ゴム材である請求項２に記載のイヤホンユニット。
【請求項４】
前記サイズ変換リング部材の内周面が、スピーカケース部材の外周面の形状とほぼ同じか略相似形に成形されている請求項１に記載のイヤホンユニット。
【請求項５】
外径が異なる前記サイズ変換リング部材を二種類以上備えている請求項１に記載のイヤホンユニット。
【発明の詳細な説明】
【技術分野】
【０００１】
この発明は、イヤホンの構成に関する。
【背景技術】
【０００２】
一般に、イヤホンは、携帯用音響機器等の聴取時に、聴取者の耳殻内に挿入されて装着されることにより使用される（例えば、特許文献１参照）。
【０００３】
ここで、人の耳の大きさは様々であり、イヤホンの聴取者の耳殻内に挿入されるスピーカを内蔵するスピーカケースの外形形状が聴取者の耳殻の大きさに比べて小さい場合には、イヤホンが耳殻内で安定せず、耳への密着性が低くなったり使用時に耳から外れてしまったりする虞があり、また、イヤホンのスピーカケースの外形形状が聴取者の耳殻の大きさに比べて大きい場合には、このスピーカケースの外周部分が耳殻の内壁を圧迫して聴取者に不快感を与えるとともに、長時間の使用を困難にするといった問題が発生する。
【０００４】
従来は、イヤホンの聴取者の耳殻内に挿入されるスピーカケースの外径は、製品毎に設定されていて一種類しか無いか、または、例えば、図１（Ａ）に示されるようなイヤホン１の聴取者の耳殻内に挿入されるスピーカケース１Ａを標準の径ｄ１にしたものと図１（Ｂ）に示されるようなイヤホン２のスピーカケース２Ａをｄ１よりも小径の外径ｄ２にしたもの等の数種類のサイズの製品を用意しておいて、購入者が購入の際に選択出来るようにして、人の耳の大きさの違いに対応するようにしたものがある。
【０００５】
しかしながら、上記のように聴取者の耳殻内に挿入されるスピーカケースのサイズを数種類用意したような場合であっても、イヤホンの購入の際に、購入者は、自分の耳の大きさを把握していないのが普通であり、また、イヤホンを試着して購入する方法は現実的ではないので、購入したイヤホンが自分の耳のサイズに合わなかった場合には、上述したような問題が発生する虞がある。
【０００６】
【特許文献１】特表２００２−５０６２９７号公報
【発明の開示】
【発明が解決しようとする課題】
【０００７】
この発明は、上記のような従来のイヤホンにおける問題点を解決することをその解決課題の一つとしている。
【課題を解決するための手段】
【０００８】
この発明（請求項１に記載の発明）によるイヤホンユニットは、上記目的を達成するために、外周面の径が所要の径に設定されているとともにスピーカを内蔵して人の耳殻内に挿入されるスピーカケース部材と、このスピーカケース部材の外周面の形状と略相似形でスピーカケース部材の外周面の径よりも所要の値だけ大きい径を有する外周面を有しスピーカケース部材の外周面に着脱可能に外嵌されてスピーカケース部材と一体化されるサイズ変換リング部材とを備えていることを特徴としている。
【発明を実施するための最良の形態】
【０００９】
この発明によるイヤホンユニットは、スピーカを内蔵して人の耳殻内に挿入されるイヤホンのスピーカケースの外周面の径が、例えば、人の耳の耳殻内の標準的な大きさよりも小さい所要の径になるように設定されて成形されており、さらに、このような径を有するスピーカケースの外周面の形状と相似形に成形された内周面および外周面を有し、この外周面の径が、例えば、人の耳の耳殻内の標準的な大きさになるように設定されて成形されているサイズ変換リングを備えており、このサイズ変換リングがスピーカケースに外嵌されることによってスピーカケースと一体化されるイヤホンユニットを、その最良の実施形態としている。
【００１０】
この実施形態におけるイヤホンユニットは、サイズ変換リングがイヤホンの本体部とセットになっており、聴取者が、イヤホンを使用する場合に、自分の耳殻のサイズに合わせて、耳殻サイズが標準よりも小さい場合には、サイズ変換リングを使用することなくスピーカケースをそのまま耳殻内に挿入して装着し、耳殻サイズが標準の場合には、サイズ変換リングをスピーカケースに外嵌させてイヤホン本体と一体化させた後、この状態で耳殻内に挿入して装着する。
【００１１】
このように、上記イヤホンユニットは、その購入後に、聴取者が自分の耳殻のサイズに合わせて、サイズ変換リングを装着しないで使用するか、サイズ変換リングを装着して使用するかを容易に選択することが出来、従来のように、イヤホンの購入後にそのイヤホンが購入者の耳殻サイズが合わなくて、使用時にイヤホンの外径が小さいことによる音漏れや耳からの脱落が生じたり、または、イヤホンの外径が大きいことによる痛みの発生などの問題を解消することが出来るようになる。
【実施例】
【００１２】
図２は、この発明によるイヤホンの実施形態における一実施例を示す斜視図である。
【００１３】
この図２において、イヤホンユニット１０は、聴取者の耳殻内に挿入されるスピーカ本体のスピーカケース１１内に図示しないスピーカが内蔵され、このスピーカケース１１の後部にコード導出部１２が一体的に形成されて、このコード導出部１２からスピーカに接続された接続コード１３が引き出された構成になっている。
【００１４】
そして、このイヤホンユニット１０のスピーカケース１１は、外周部１１Ａがスポンジよりも硬質のゴム材によってほぼ円形に成形されているとともに、その外径が、例えば図１（Ｂ）のイヤホンのような標準よりも小さい径ｄ２に設定されている。
【００１５】
そして、このイヤホンユニット１０には、スピーカケース１１の外周部１１Ａに外嵌されてこのスピーカケース１１と一体化されるサイズ変換リング１４が装備されている。
【００１６】
このサイズ変換リング１４は、スピーカケース１１を形成している材質と同じ硬質ゴム材によって、その外周面１４Ａおよび外周面１４Ｂの形状が、それぞれスピーカケース１１の外周面の形状とほぼ相似形に成形されており、さらに、外周面１４Ａの径が、例えば図１（Ａ）のイヤホンのような標準の径ｄ２に設定されている。
【００１７】
このサイズ変換リング１４はイヤホンユニット１０のスピーカ本体とセットになっており、聴取者は、イヤホンユニット１０を使用する場合に、自分の耳殻のサイズに合わせて、耳殻サイズが標準よりも小さい場合には、サイズ変換リング１４を使用することなくスピーカケース１１をそのまま耳殻内に挿入して装着し、耳殻サイズが標準の場合には、図３に示されるように、サイズ変換リング１４をスピーカケース１１に外嵌させて、その状態で耳殻内に挿入して装着する。
【００１８】
このように、上記イヤホンユニット１０は、その購入後に、聴取者が自分の耳殻のサイズに合わせて、サイズ変換リング１４を装着しないで使用するか、サイズ変換リング１４を装着して使用するかを容易に選択することが出来、従来のように、イヤホンの購入後にそのイヤホンが購入者の耳殻サイズが合わなくて、使用時にイヤホンの外径が小さいことによる音漏れや耳からの脱落が生じたり、または、イヤホンの外径が大きいことによる痛みの発生などの問題を解消することが出来るようになる。
【００１９】
そして、サイズ変換リング１４は、従来のイヤホンに使用されているようなスピーカケースの前面の全体を覆うようなスポンジ製カバーと異なり、スピーカケース１１の前面側を覆ってその厚さ方向の寸法を拡大させることなく、径方向の大きさのみを必要な寸法に設定することが出来るため、サイズ変換リング１４を使用したことによってイヤホンの感度が低下する虞がなく、さらに、耳殻の奥側への圧迫感を発生させる虞がないので、快適な装着感を実現することが出来る。
【００２０】
さらに、このサイズ変換リング１４は、スピーカケース１１の外周面の形状と相似形に成形されていて、スピーカケース１１に外嵌された際にこのスピーカケース１１と一体化されるので、使用の際にずれや外れが発生する虞がない。
【００２１】
また、上記のスピーカケース１１およびサイズ変換リング１４を形成する硬質ゴム材を従来のスポンジ製のカバーよりも硬質で適度な硬さを有する柔軟なゴム材とすることにより、装着時の安定感と装着感が向上される。
【００２２】
なお、上記においては、イヤホンユニット１０がサイズ変換リング１４を装備していることによって二種類の外径サイズを実現することが出来る例について説明を行ったが、サイズ変換リング１４の他に、外径サイズの異なる数種類のサイズ変換リングをさらに装備するようにすることによって、さらに聴取者の耳殻サイズに適合するイヤホンを提供することが出来るようになる。
【００２３】
さらに、上記例においては、スピーカケース１１に対してサイズ変換リング１４が外嵌されることによって装着されるようになっているが、サイズ変換リングをスピーカケース１１に対して固定する方法としては、上記の例の他、ねじ止めや突起等の係合手段を用いるようにしても良い。
【図面の簡単な説明】
【００２４】
【図１】（Ａ）は標準サイズのスピーカケースを有する従来のイヤホンを示す背面図であり、（Ｂ）は小径サイズのスピーカケースを有する従来のイヤホンを示す背面図である。
【図２】この発明の実施形態におけるイヤホンユニットを示す斜視図である。
【図３】同実施例においてサイズ変換リングがスピーカケースに装着されている状態を一部を断面して示す側面図である。
【符号の説明】
【００２５】
１０        …イヤホンユニット
１１        …スピーカケース（スピーカケース部材）
１１Ａ      …外周部
１４        …サイズ変換リング（サイズ変換リング部材）
１４Ａ      …外周面
１４Ｂ      …外周面
【図１】
2005252475.tif 000003
【図２】
2005252475.tif 000004
【図３】
2005252475.tif 000005